(57)【要約】【課題】腕体を自重で降下させる場合に油圧ポンプの吐出量を低下させることとしながら、更なる燃費の向上を実現させる建設機械用油圧制御回路を提供すること。【解決手段】ネガティブコントロール式の油圧制御回路１００は、ブームシリンダ７のロッドチャンバとボトムチャンバとを接続する再生油路をブーム操作レバー５０の下げ方向への操作に応じて開通させるブーム下げ用制御弁５６と、第一速ブーム方向制御弁１３Ｒを中立位置に復帰させる切換弁５５とを備え、切換弁５５は、ブームシリンダ７のボトムチャンバ内の圧力が所定値以上となった場合に、第一速ブーム方向制御弁１３Ｒを中立位置に復帰させる。【選択図】図２
2010242796.tif 000002
【特許請求の範囲】
【請求項１】
ネガティブコントロール絞りで発生する制御圧に応じて吐出量を増減させる油圧ポンプとブームを作動させる油圧シリンダを循環する圧油の流れを制御する方向制御弁とを含むネガティブコントロール式の建設機械用油圧制御回路であって、
前記油圧シリンダの膨張室と縮小室とを接続する再生管路を有し、該再生管路を前記ブームの下げ操作に応じて開通させるブーム下げ用制御弁と、
前記油圧シリンダの縮小室内の圧力が所定値以上となった場合に、前記方向制御弁を中立位置に復帰させる中立位置復帰手段と、を備え、
前記中立位置復帰手段は、前記ブームの下げ操作に応じて前記ブームが自重で降下する場合に、前記方向制御弁を中立位置に復帰させる、
ことを特徴とする建設機械用油圧制御回路。
【請求項２】
前記中立位置復帰手段は、前記方向制御弁のパイロットポートとパイロット圧を発生させるコントロールポンプとを接続する制御圧管路に配置される切換弁であり、
前記切換弁は、第一状態において、前記パイロット圧を前記パイロットポートに伝え、第二状態において、前記パイロットポートにおける前記パイロット圧を解消させる、
ことを特徴とする請求項１に記載の建設機械用油圧制御回路。
【請求項３】
前記中立位置復帰手段は、前記油圧シリンダの膨張室内の圧力が所定値未満となった場合に、前記方向制御弁の中立位置への復帰を禁止する、
ことを特徴とする請求項１又は２に記載の建設機械用油圧制御回路。
【請求項４】
前記方向制御弁及び前記ブーム下げ用制御弁は、バルブユニットの内部に配置される、
ことを特徴とする請求項１乃至３の何れか一項に記載の建設機械用油圧制御回路。
【請求項５】
前記ブーム下げ用制御弁は、前記方向制御弁と直列に配置される、
ことを特徴とする請求項４に記載の建設機械用油圧制御回路。
【請求項６】
前記方向制御弁は、第一速ブーム方向制御弁及び第二速ブーム方向制御弁を含み、
前記ブーム下げ用制御弁は、前記第二速ブーム方向制御弁に組み込まれる、
ことを特徴とする請求項４に記載の建設機械用油圧制御回路。
【発明の詳細な説明】
【技術分野】
【０００１】
本発明は、油圧ポンプの吐出する圧油を油圧シリンダに供給し、一方でその油圧シリンダから圧油タンクに圧油を排出してその油圧シリンダを伸縮させながら、ブーム、アーム又はバケット等の腕体を動作させる建設機械で用いられる油圧制御回路に関し、特に、腕体を重力方向にその自重で降下させる際に油圧ポンプの吐出量を低減することとしながらも、掘削のため負荷に逆らってその腕体を重力方向に積極的に駆動させる際には圧油管路で余分な圧力損失を発生させないようにして燃費向上を図れるようにする建設機械用油圧制御回路に関する。
【背景技術】
【０００２】
従来、ネガティブコントロール絞りで発生するネガティブコントロール圧に応じて吐出量を増減させる油圧ポンプと腕体を作動させる油圧シリンダ内を循環する圧油の流れを制御する方向制御弁とを含むネガティブコントロール式の建設機械用油圧制御回路が知られている。
【０００３】
このネガティブコントロール式の建設機械用油圧制御回路は、ユーザがブーム操作レバーを操作すると、ブーム用方向制御弁のスプールをその中立位置から変位させてセンターバイパス通路を絞りネガティブコントロール圧を低下させることで油圧ポンプの吐出量を増大させるようにする。十分な量の圧油でブームを確実に駆動できるようにするためである。
【０００４】
また、建設機械用油圧制御回路の中には、ブーム用油圧シリンダのボトムチャンバ（ブーム下げ時に容積が縮小する側のチャンバ）とロッドチャンバ（ブーム下げ時に容積が膨張する側のチャンバ）とを圧油管路（再生管路）で連通しボトムチャンバ内の圧油を圧油タンクに排出すると同時にロッドチャンバ内に循環（再生）させるようにしたものもある。
【０００５】
この建設機械用油圧制御回路は、腕体をその自重により空中で降下させる場合にはその再生管路を介してボトムチャンバ内の圧油をロッドチャンバ内に再生させるので、油圧ポンプが吐出する圧油をロッドチャンバ内に供給する必要がない。
【０００６】
この点に着目し、ブーム用油圧シリンダのボトムチャンバ内の圧力に応じてセンターバイパス通路を絞る可変絞り機構をそのブーム用方向制御弁のスプール内部に備え、ブームが自重で降下する場合（ボトムチャンバ内の圧力が所定値以上となる場合）にその可変絞り機構を用いてセンターバイパス通路を流れる圧油量を増加させネガティブコントロール圧の低下を抑えることによりブームが自重で降下する際の油圧ポンプの吐出量を低下させるようにした回路も存在する（例えば、特許文献１参照。）。
【先行技術文献】
【特許文献】
【０００７】
【特許文献１】特開平１０−０８９３１７号公報
【発明の概要】
【発明が解決しようとする課題】
【０００８】
しかしながら、特許文献１に記載の回路は、ブームを自重で降下させる場合に再生管路を用いながら油圧ポンプの吐出量を低下させ燃費を向上させることができるものの、ブーム用方向制御弁のＰ−Ｃ開口（油圧ポンプと油圧シリンダとを繋ぐ圧油管路を連通させるスプール上のポート）に設けられた絞りを省略できずにそのまま備えているので、掘削時のように負荷に逆らってブームを重力方向に積極的に駆動させる場合には（そのＰ−Ｃ開口を通じて油圧ポンプが吐出する圧油をブーム用油圧シリンダに流入させる場合には）その絞りで発生する圧力損失を排除できず燃費を悪化させることとなってしまう。
【０００９】
なお、この絞りは、腕体の複合動作（例えば、ブーム及びバケットの同時操作である。）を円滑に行うために必要なものである。この絞りが無ければ、複合動作中にブームを自重で降下させブーム用油圧シリンダのロッドチャンバ（膨張側チャンバ）の圧力が急激に低くなると油圧ポンプからの圧油がそのロッドチャンバに集中的に流れ込んでしまい、バケット用油圧シリンダに流れ込む圧油の量が減少してしまうからである。
【００１０】
上述の点に鑑み、本発明は、腕体を自重で降下させる場合に油圧ポンプの吐出量を低下させることとしながら、更なる燃費の向上を実現させる建設機械用油圧制御回路を提供することを目的とする。
【課題を解決するための手段】
【００１１】
上述の目的を達成するために、本発明に係る建設機械用油圧制御回路は、ネガティブコントロール絞りで発生する制御圧に応じて吐出量を増減させる油圧ポンプとブームを作動させる油圧シリンダを循環する圧油の流れを制御する方向制御弁とを含むネガティブコントロール式の建設機械用油圧制御回路であって、前記油圧シリンダの膨張室と縮小室とを接続する再生管路を有し、該再生管路を前記ブームの下げ操作に応じて開通させるブーム下げ用制御弁と、前記油圧シリンダの縮小室内の圧力が所定値以上となった場合に、前記方向制御弁を中立位置に復帰させる中立位置復帰手段と、を備え、前記中立位置復帰手段は、前記ブームの下げ操作に応じて前記ブームが自重で降下する場合に、前記方向制御弁を中立位置に復帰させることを特徴とする。
【００１２】
更に、本発明に係る建設機械用油圧制御回路は、前記中立位置復帰手段が、前記方向制御弁のパイロットポートとパイロット圧を発生させるコントロールポンプとを接続する制御圧管路に配置される切換弁であり、前記切換弁が、第一状態において、前記パイロット圧を前記パイロットポートに伝え、第二状態において、前記パイロットポートにおける前記パイロット圧を解消させるようにしてもよい。
【００１３】
更に、本発明に係る建設機械用油圧制御回路は、前記中立位置復帰手段が、前記油圧シリンダの膨張室内の圧力が所定値未満となった場合に、前記方向制御弁の中立位置への復帰を禁止するようにしてもよい。
【００１４】
更に、本発明に係る建設機械用油圧制御回路は、前記方向制御弁及び前記ブーム下げ用制御弁が、バルブユニットの内部に配置されるようにしてもよい。
【００１５】
更に、本発明に係る建設機械用油圧制御回路は、前記ブーム下げ用制御弁が、前記方向制御弁と直列に配置されるようにしてもよい。
【００１６】
更に、本発明に係る建設機械用油圧制御回路は、前記方向制御弁が、第一速ブーム方向制御弁及び第二速ブーム方向制御弁を含み、前記ブーム下げ用制御弁が、前記第二速ブーム方向制御弁に組み込まれるようにしてもよい。
【発明の効果】
【００１７】
上述の手段により、本発明は、腕体を自重で降下させる場合に油圧ポンプの吐出量を低下させることとしながら、更なる燃費の向上を実現させる建設機械用油圧制御回路を提供することができる。
【図面の簡単な説明】
【００１８】
【図１】本発明に係る建設機械用油圧制御回路が搭載される油圧ショベルの構成例を示す図である。
【図２】本発明に係る建設機械に搭載される油圧制御回路の油圧回路図（その１）である。
【図３】本実施例のブーム方向制御弁と従来のブーム方向制御弁との間の違いを説明するための図である。
【図４】待機モードにおける油圧制御回路の状態を示す図（その１）である。
【図５】掘削のために負荷に逆らってブームを下げ方向に操作するときの油圧制御回路の状態を示す図（その１）である。
【図６】ブームを自重で降下させるときの油圧制御回路の状態を示す図（その１）である。
【図７】弁状態切換処理の流れを示すフローチャートである。
【図８】本発明に係る建設機械に搭載される油圧制御回路の油圧回路図（その２）である。
【図９】待機モードにおける油圧制御回路の状態を示す図（その２）である。
【図１０】掘削のために負荷に逆らってブームを下げ方向に操作するときの油圧制御回路の状態を示す図（その２）である。
【図１１】ブームを自重で降下させるときの油圧制御回路の状態を示す図（その２）である。
【図１２】ブームを迅速に上昇させるときの油圧制御回路の状態を示す図である。
【発明を実施するための形態】
【００１９】
以下、図面を参照しつつ、本発明を実施するための最良の形態の説明を行う。
【実施例】
【００２０】
図１は、本発明に係る建設機械用油圧制御回路が搭載される油圧ショベルの構成例を示す図である。図１において、油圧ショベル１は、クローラ式の下部走行体２の上に、旋回機構を介して、上部旋回体３をＸ軸周りに旋回自在に搭載している。
【００２１】
また、上部旋回体３は、前方中央部に、ブーム４、アーム５及びバケット６、並びに、これらを駆動する油圧アクチュエータとしてのブームシリンダ７、アームシリンダ８及びバケットシリンダ９から構成される掘削アタッチメントを備える。
【００２２】
図２は、本発明に係る建設機械に搭載される油圧制御回路の油圧回路図であり、圧油管路を実線で示し、制御圧管路を破線で示し、制御電流線を斜線付きの線で示す。
【００２３】
油圧制御回路１００は、エンジン又は電動モータによって駆動される、一回転当たりの吐出量（ｃｃ／ｒｅｖ）が可変である二つの油圧ポンプ１０Ｌ、１０Ｒから、方向制御弁１１Ｌ、１２Ｌ、１３Ｌ及び１５Ｌを連通するセンターバイパス管路３０Ｌ、又は、方向制御弁１１Ｒ、１２Ｒ、１３Ｒ、１４及び１５Ｒ、並びにブーム下げ用制御弁５６を連通するセンターバイパス管路３０Ｒを経て圧油タンク２２まで圧油を循環させる。
【００２４】
方向制御弁１１Ｌは、油圧ポンプ１０Ｌが吐出する圧油を走行用油圧モータ４２Ｌで循環させるために圧油の流れを切り換えるスプール弁（左走行モータ方向制御弁）である。
【００２５】
方向制御弁１１Ｒは、走行直進弁であり、下部走行体２を駆動する走行用油圧モータ４２Ｌ、４２Ｒと、上部旋回体３の何れかの油圧アクチュエータ（例えば、ブームシリンダ７、アームシリンダ８、バケットシリンダ９又は旋回用油圧モータ４４である。）とが同時に操作された場合に、下部走行体２の直進性を高めるために油圧ポンプ１０Ｌから左右の走行用油圧モータ４２Ｌ、４２Ｒの双方に圧油を循環させるために圧油の流れを切り換えるスプール弁である。
【００２６】
方向制御弁１２Ｌは、油圧ポンプ１０Ｌが吐出する圧油を旋回用油圧モータ４４で循環させるために圧油の流れを切り換えるスプール弁（旋回モータ方向制御弁）であり、方向制御弁１２Ｒは、油圧ポンプ１０Ｒが吐出する圧油を走行用油圧モータ４２Ｒで循環させるために圧油の流れを切り換えるスプール弁（右走行モータ方向制御弁）である。
【００２７】
方向制御弁１３Ｌ、１３Ｒはそれぞれ、油圧ポンプ１０Ｌ、１０Ｒが吐出する圧油をブームシリンダ７へ供給し、また、ブームシリンダ７内の圧油を圧油タンク２２へ排出するために圧油の流れを切り換えるスプール弁であり、方向制御弁１３Ｒは、ブーム操作レバー５０が操作された場合に作動するスプール弁（以下、「第一速ブーム方向制御弁１３Ｒ」とする。）であり、方向制御弁１３Ｌは、ブーム操作レバー５０が所定操作量以上で上げ方向に操作された場合に油圧ポンプ１０Ｌの吐出する圧油をブームシリンダ７のボトムチャンバに合流させるためのスプール弁（以下、「第二速ブーム方向制御弁１３Ｌ」とする。）である。
【００２８】
方向制御弁１４は、油圧ポンプ１０Ｒが吐出する圧油をバケットシリンダ９へ供給し、また、バケットシリンダ９内の圧油を圧油タンク２２へ排出するためのスプール弁（バケット方向制御弁）である。
【００２９】
方向制御弁１５Ｌ、１５Ｒはそれぞれ、油圧ポンプ１０Ｌ、１０Ｒが吐出する圧油をアームシリンダ８へ供給し、また、アームシリンダ８内の圧油を圧油タンク２２へ排出するために圧油の流れを切り換えるスプール弁であり、方向制御弁１５Ｌは、アーム操作レバーが操作された場合に作動するスプール弁（以下、「第一速アーム方向制御弁１５Ｌ」とする。）であり、方向制御弁１５Ｒは、アーム操作レバーが所定操作量以上で操作された場合に油圧ポンプ１０Ｒの吐出する圧油をアームシリンダ８に合流させるためのスプール弁（以下、「第二速アーム方向制御弁１５Ｒ」とする。）である。
【００３０】
なお、方向制御弁１１Ｌ、１２Ｌ、１３Ｌ及び１５Ｌ、並びに、方向制御弁１１Ｒ、１２Ｒ、１３Ｒ、１４及び１５Ｒは、バルブユニット内に纏めて格納されているものとする。
【００３１】
センターバイパス管路３０Ｌ、３０Ｒは、それぞれ、最も下流にある方向制御弁１５Ｌ、１５Ｒと圧油タンク２２との間にネガティブコントロール絞り２０Ｌ、２０Ｒを備え、油圧ポンプ１０Ｌ、１０Ｒが吐出した圧油の流れを制限することにより、ネガティブコントロール絞り２０Ｌ、２０Ｒの上流において、油圧ポンプ１０Ｌ、１０Ｒ用の各レギュレータ（油圧ポンプの吐出量を変化させる装置である。）を制御するための制御圧（ネガティブコントロール圧）を発生させる管路である。
【００３２】
破線で示される制御圧管路３２Ｌ、３２Ｒは、ネガティブコントロール絞り２０Ｌ、２０Ｒの上流で発生させたネガティブコントロール圧を油圧ポンプ１０Ｌ、１０Ｒ用の各レギュレータに伝達するためのネガティブコントロール圧管路である。
【００３３】
油圧ショベル１における何れの油圧アクチュエータも利用されていない場合（以下、「待機モード」とする。）、油圧ポンプ１０Ｌ、１０Ｒが吐出する圧油は、センターバイパス管路３０Ｌ、３０Ｒを通ってネガティブコントロール絞り２０Ｌ、２０Ｒに至り、ネガティブコントロール絞り２０Ｌ、２０Ｒの上流で発生するネガティブコントロール圧を増大させる。
【００３４】
その結果、油圧ポンプ１０Ｌ、１０Ｒは、その吐出量を減少させることで、吐出した圧油がセンターバイパス管路３０Ｌ、３０Ｒを通過する際の圧力損失（ポンピングロス）を抑制するようにする。
【００３５】
一方、油圧ショベル１における何れかの油圧アクチュエータが利用された場合、油圧ポンプ１０Ｌ、１０Ｒが吐出する圧油は、その油圧アクチュエータに対応する方向制御弁を介してその油圧アクチュエータに流れ込み、ネガティブコントロール絞り２０Ｌ、２０Ｒに至る量を減少或いは消滅させ、ネガティブコントロール絞り２０Ｌ、２０Ｒの上流で発生するネガティブコントロール圧を低下させる。
【００３６】
その結果、油圧ポンプ１０Ｌ、１０Ｒは、その吐出量を増大させ、各油圧アクチュエータに十分な圧油を循環させ、各アクチュエータの駆動を確かなものとする。
【００３７】
上述のような構成により、油圧制御回路１００は、待機モードにおいては、油圧ポンプ１０Ｌ、１０Ｒにおける無駄なエネルギー消費（油圧ポンプ１０Ｌ、１０Ｒの吐出する圧油がセンターバイパス管路３０Ｌ、３０Ｒで発生させるポンピングロス）を抑制しながらも、各種油圧アクチュエータを作動させる場合には、油圧ポンプ１０Ｌ、１０Ｒから必要十分な圧油を各油圧アクチュエータに供給できるようにする。
【００３８】
ブーム操作レバー５０は、コントロールポンプ５２が吐出する圧油を利用してレバー操作量に応じた制御圧を第一速ブーム方向制御弁１３Ｒのパイロットポート、及び第二速ブーム方向制御弁１３Ｌのパイロットポートに導入させるための装置である。なお、図示されていないが、アーム操作レバー、バケット操作レバー、又は旋回操作レバー等の他の操作レバーも同様の構成を有するものとする。
【００３９】
コントロールポンプ５２は、制御用圧油を吐出するための油圧ポンプであり、所定の吐出圧（例えば、４ＭＰａである。）で制御用圧油を継続的に吐出する固定容量型の油圧ポンプである。
【００４０】
メインコントローラ５４は、ＣＰＵ（Central Processing Unit）、ＲＡＭ(Random Access Memory)、ＲＯＭ（Read Only Memory）等を備えたコンピュータであり、中立位置復帰手段に対応するプログラムをＲＯＭに記憶しながら、中立位置復帰手段に対応する処理をＣＰＵに実行させる。
【００４１】
また、メインコントローラ５４は、ブーム操作レバー５０を上げ（ブーム上昇）方向に操作した場合に発生する制御圧を測定する圧力センサＰ１、及び、ブーム操作レバー５０を下げ（ブーム下降）方向に操作した場合に発生する制御圧を測定する圧力センサＰ２の出力に基づいてブーム操作レバー５０のレバー操作方向及びレバー操作量を検出する。他の操作レバーについても同様である。
【００４２】
更に、メインコントローラ５４は、ブームシリンダ７のボトムチャンバ内の圧力を測定する圧力センサＰ３の出力に基づいてブーム４が自重で降下しているか否かを判定する。この判定は、ブーム４が自重で降下する場合にブームシリンダ７のボトムチャンバ内の圧力が所定圧以上になるという事実に基づく。アームシリンダ８のロッドチャンバ内の圧力を測定してアーム５の自重降下の有無を判定する場合や、バケットシリンダ９のボトムチャンバ又はロッドチャンバ内の圧力を測定してバケット６の自重降下の有無を判定する場合についても同様である。
【００４３】
更に、メインコントローラ５４は、ブームシリンダ７のロッドチャンバ内の圧力を測定する圧力センサＰ４の出力に基づいてブームシリンダ７のロッドチャンバ内におけるキャビテーション発生の有無を判定する。この判定は、ブームシリンダ７のロッドチャンバ内の圧力が所定圧未満になるとキャビテーションを発生させるおそれがあることに基づく。アームシリンダ８のボトムチャンバ内の圧力を測定してアームシリンダ８のボトムチャンバ内におけるキャビテーション発生の有無を判定する場合や、バケットシリンダ９のボトムチャンバ又はロッドチャンバ内の圧力を測定してバケットシリンダ９のボトムチャンバ又はロッドチャンバ内におけるキャビテーション発生の有無を判定する場合についても同様である。
【００４４】
中立位置復帰手段は、油圧シリンダを循環する圧油の流れを制御する方向制御弁を中立位置に復帰させるための手段であり、例えば、第一速ブーム方向制御弁１３Ｒの第一パイロットポート（ブーム４を下降させる際に用いられるパイロットポートである。）とコントロールポンプ５２との間の制御圧管路上に設置された切換弁５５を制御して第一速ブーム方向制御弁１３Ｒのパイロットポートに導入された制御圧（パイロット圧）を取り除くようにする。
【００４５】
切換弁５５は、メインコントローラ５４が出力する制御電流に応じて状態を切り替えるソレノイドバルブであり、例えば、第一速ブーム方向制御弁１３Ｒの第一パイロットポートとコントロールポンプ５２との間の制御圧管路を開通させる第一状態と、その制御圧管路を遮断しながら第一パイロットポートに掛かるパイロット圧を解消させる第二状態とを切り替えられるようにする。
【００４６】
なお、第一速ブーム方向制御弁１３Ｒの第一パイロットポートとコントロールポンプ５２との間の制御圧管路にはブーム操作レバー５０が設置されており、ブーム操作レバー５０が下げ方向に操作された場合にその制御圧管路内の制御圧が上昇する。
【００４７】
ブーム下げ用制御弁５６は、ブーム操作レバー５０のレバー操作量に応じた制御圧を第一速ブーム方向制御弁１３Ｒの第一パイロットポートに導入させる制御圧管路から分岐する追加的な制御圧管路を介して導入される制御圧（ブーム操作レバー５０のレバー操作量に応じた制御圧に等しい。）に応じて状態を切り替える２ポジション６ポートのスプール弁であり、ブーム操作レバー５０が下げ方向に操作されその制御圧管路内の制御圧が所定値以上となった場合に、ブームシリンダ７のボトムチャンバとそのロッドチャンバとを直接的に繋ぐ再生管路を開通させる第一状態と、その制御圧管路内の制御圧が所定値未満の場合にその再生管路を遮断する第二状態とを切り替えられるようにする。
【００４８】
また、ブーム下げ用制御弁５６は、第一状態及び第二状態の何れにおいても、センターバイパス管路３０Ｒを開通させるためのポートを備えており、常に、センターバイパス管路３０Ｒを遮断することがない。
【００４９】
図３は、本実施例のブーム方向制御弁と従来のブーム方向制御弁との間の違いを説明するための図であり、図３（Ａ）が本実施例の第一速ブーム方向制御弁１３Ｒを示し、図３（Ｂ）が従来のブーム方向制御弁１３０を示す。
【００５０】
本実施例の第一速ブーム方向制御弁１３Ｒ及び従来のブーム方向制御弁１３０は共に、上げ操作時位置、中立位置、下げ操作時位置の三つの切換位置を有する３ポジション６ポートのスプール弁であり、従来のブーム方向制御弁１３０が、下げ操作時位置において、Ｐ−Ｃ開口（油圧ポンプとブームシリンダとを繋ぐ圧油管路を開通させるスプール上のポート）及びＣ−Ｔ開口（ブームシリンダと圧油タンクとを繋ぐ圧油管路を開通させるスプール上のポート）のそれぞれに絞り１３１、１３２を有し、且つ、Ｐ−Ｃ開口とＣ−Ｔ開口とを繋ぐ逆止弁を備えた管路１３３を有する点で、本実施例の第一速ブーム方向制御弁１３Ｒと相違する。
【００５１】
従来のブーム方向制御弁１３０における絞り１３１は、腕体の複合動作（例えば、ブーム及びバケットの同時操作である。）を円滑に行うために必要なものであり、この絞りが無ければ、複合動作中にブームを自重で降下させブームシリンダのロッドチャンバの圧力が急激に低くなると油圧ポンプからの圧油がそのロッドチャンバに集中的に流れ込んでしまい、バケットシリンダに流れ込む圧油の量が著しく減少してしまうこととなる。
【００５２】
本実施例に係る油圧制御回路１００は、切換弁５５を備えることで、従来のブーム方向制御弁１３０における絞り１３１が担う機能を不要としている。ブーム４を自重で降下させる場合に第一速ブーム方向制御弁１３Ｒを中立位置とし第一速ブーム方向制御弁１３Ｒとブームシリンダ７とを繋ぐ圧油管路を遮断することで、複合動作中に油圧ポンプ１０Ｒからの圧油がブームシリンダ７のロッドチャンバに流れ込んでしまうのを完全に防止できるためである。
【００５３】
また、従来のブーム方向制御弁１３０における絞り１３２及び管路１３３は、再生管路を形成するために必要なものであり、ブームシリンダのボトムチャンバから圧油タンクに流れる圧油の流れを絞り１３２で絞ることによりそのボトムチャンバから管路１３３を経てロッドチャンバに戻る流れを生じさせるようにしている。
【００５４】
本実施例に係る油圧制御回路１００は、従来のブーム方向制御弁１３０における絞り１３２及び管路１３３に対応する構造を本実施例におけるブーム下げ用制御弁５６に備えることによって、本実施例の第一速ブーム方向制御弁１３Ｒから、従来のブーム方向制御弁１３０における絞り１３２及び管路１３３に対応する構造を取り除くようにしている。
【００５５】
次に、図４〜図６を参照しながら、ブーム４を下げ方向に操作する場合における油圧制御回路１００の動作について説明する。
【００５６】
図４〜図６は、図２の油圧回路図からブーム４の操作に関連する構成要素を選択的に抽出した油圧制御回路１００の油圧回路図であり、図４は、待機モードにおける状態を示し、図５は、掘削のために負荷に逆らってブーム４を下げ方向に操作するときの状態を示し、図６は、ブーム４を自重で降下させるときの状態を示す。
【００５７】
図４において、メインコントローラ５４は、圧力センサＰ１、Ｐ２の出力に基づいてブーム操作レバー５０が操作されていないことを検出しており、切換弁５５に制御電流を供給していない。
【００５８】
そのため、切換弁５５は、ブーム操作レバー５０を下げ方向に操作した場合に発生する制御圧を第一速ブーム方向制御弁１３Ｒの第一パイロットポートに伝えられる第一状態にある。
【００５９】
また、ブーム下げ用制御弁５６は、ブーム操作レバー５０を下げ方向に操作した場合に発生する制御圧を受けていないため、再生管路を遮断する第二状態にある。
【００６０】
更に、第一速ブーム方向制御弁１３Ｒは、中立位置にあり、センターバイパス管路３０Ｒを通じて油圧ポンプ１０Ｒが吐出する圧油をネガティブコントロール絞り２０Ｒに到達させ油圧ポンプ１０Ｒの吐出量を低減させている。
【００６１】
一方、図５において、メインコントローラ５４は、圧力センサＰ２の出力に基づいてブーム操作レバー５０が下げ方向に操作されたことを検出し、且つ、圧力センサＰ３の出力に基づいてブームシリンダ７のボトムチャンバ内の圧力が所定値未満であることを検出すると、ブーム４が掘削のために負荷に逆らって下げ方向に動作しているものと判定し、ブーム操作レバー５０を下げ方向に操作した場合に発生する制御圧が第一速ブーム方向制御弁１３Ｒの第一パイロットポートに伝わるよう切換弁５５に制御電流を供給しないようにする。
【００６２】
また、第一速ブーム方向制御弁１３Ｒは、ブーム操作レバー５０を下げ方向に操作した場合に発生する制御圧を第一パイロットポートで受けて下げ操作時位置となり、パラレル管路３１Ｒを介して油圧ポンプ１０Ｒが吐出する圧油をブームシリンダ７のロッドチャンバに流入させ、且つ、ブームシリンダ７のボトムチャンバから流出する圧油を圧油タンク２２に排出させる。
【００６３】
なお、ブーム下げ用制御弁５６は、ブーム操作レバー５０を下げ方向に操作した場合に発生する制御圧を受けて再生管路を開通させる第一状態となるが、第一速ブーム方向制御弁１３Ｒが下げ操作時位置にあるため、ブームシリンダ７のロッドチャンバの圧力がそのボトムチャンバの圧力よりも高くなっており逆止弁によってその再生管路を遮断する。
【００６４】
また、ブームシリンダ７のボトムチャンバから流出する圧油の大部分は、絞りによる抵抗がない第一速ブーム方向制御弁１３ＲのＣ−Ｔ開口を経て圧油タンク２２に排出される。
【００６５】
これにより、油圧制御回路１００は、掘削のために負荷に逆らってブーム４を下げ方向に操作するときには、油圧ポンプ１０Ｒが吐出する圧油を何れの絞りを経ることもなくブームシリンダ７に流入させることができ、且つ、ブームシリンダ７から流出する圧油を何れの絞りを経ることもなく圧油タンク２２に排出させることができるので、不要な圧力損失を発生させることがない。
【００６６】
更に、図６において、メインコントローラ５４は、圧力センサＰ２の出力に基づいてブーム操作レバー５０が下げ方向に操作されたことを検出し、且つ、圧力センサＰ３の出力に基づいてブームシリンダ７のボトムチャンバ内の圧力が所定値以上であることを検出すると、ブーム４が自重で下げ方向に動作しているものと判定し、ブーム操作レバー５０を下げ方向に操作した場合に発生する制御圧が第一速ブーム方向制御弁１３Ｒの第一パイロットポートに伝わらないよう切換弁５５に制御電流を供給する。
【００６７】
切換弁５５は、第一速ブーム方向制御弁１３Ｒの第一パイロットポートとコントロールポンプ５２との間の制御圧管路を遮断しながらその第一パイロットポートに掛かるパイロット圧を解消させる第二状態となり、その第一パイロットポートでパイロット圧を発生させている圧油があればその圧油を圧油タンク２２に排出する。
【００６８】
その結果、第一速ブーム方向制御弁１３Ｒは、第一パイロットポートにおける制御圧（ブーム操作レバー５０を下げ方向に操作した場合に発生する制御圧である。）が取り除かれることで中立位置となり、ブームシリンダ７との間の圧油のやり取りを遮断しながら、センターバイパス管路３０Ｒを通じて油圧ポンプ１０Ｒが吐出する圧油をネガティブコントロール絞り２０Ｒに到達させ油圧ポンプ１０Ｒの吐出量を低減させるようにする。
【００６９】
ブーム下げ用制御弁５６は、図５の場合と同様、ブーム操作レバー５０を下げ方向に操作した場合に発生する制御圧を受けて再生管路を開通させる第一状態となり、ブームシリンダ７のボトムチャンバから流出する圧油をブームシリンダ７のロッドチャンバに再生させる。第一速ブーム方向制御弁１３Ｒが中立位置となり、ブームシリンダ７と第一速ブーム方向制御弁１３Ｒとの間の圧油のやり取りが遮断されるからである。
【００７０】
これにより、油圧制御回路１００は、ブーム４を自重で降下させるときには、油圧ポンプ１０Ｒの吐出量を低減させ、燃費を向上させることができる。
【００７１】
なお、メインコントローラ５４は、ブーム４を自重で降下させる場合であっても、圧力センサＰ４の出力に基づいてブームシリンダ７におけるロッドチャンバ内の圧力が所定値未満であることを検出した場合にはキャビテーションが発生するおそれがあると判定し、切換弁５５への制御電流の供給を中止して、図５に示す状態を現出させるようにする。ブームシリンダ７のロッドチャンバに十分な圧油を供給できるよう、油圧ポンプ１０Ｒが吐出する圧油をブームシリンダ７のロッドチャンバに流入させるためである。
【００７２】
次に、図７を参照しながら、メインコントローラ５４が切換弁５５の状態を切り替える処理（以下、「弁状態切換処理」とする。）について説明する。なお、図７は、弁状態切換処理の流れを示すフローチャートであり、メインコントローラ５４は、この弁状態切換処理を所定周期で繰り返し実行するものとする。
【００７３】
最初に、メインコントローラ５４は、ブーム操作レバー５０が下げ方向に操作されたか否かを判定するために、圧力センサＰ２の出力と閾値ＴＨ１とを比較する（ステップＳ１）。
【００７４】
圧力センサＰ２の出力が閾値ＴＨ１未満でありブーム操作レバー５０が下げ方向に操作されていないと判定すると（ステップＳ１のＮＯ）、メインコントローラ５４は、切換弁５５に制御電流を供給することなく弁状態切換処理を終了させる（ステップＳ５）。
【００７５】
これにより、切換弁５５は、ブーム操作レバー５０のレバー操作量に応じた制御圧をいつでも第一速ブーム方向制御弁１３Ｒの第一パイロットポートに導入させることができるように制御圧管路を開通させる第一状態となる。
【００７６】
一方、圧力センサＰ２の出力が閾値ＴＨ１以上でありブーム操作レバー５０が下げ方向に操作されたと判定すると（ステップＳ１のＹＥＳ）、メインコントローラ５４は、圧力センサＰ３の出力（ブームシリンダ７のボトムチャンバ内の圧力）と閾値ＴＨ２とを比較してブーム４が自重で降下しているか、或いは、負荷に逆らって動作しているかを判定し、更に、圧力センサＰ４の出力（ブームシリンダ７のロッドチャンバ内の圧力）と閾値ＴＨ３とを比較してブームシリンダ７のロッドチャンバ内でキャビテーション発生のおそれがあるか否かを判定する（ステップＳ２）。
【００７７】
ブーム４が自重で降下しており、且つ、キャビテーション発生のおそれが無いと判定すると（ステップＳ２のＹＥＳ）、メインコントローラ５４は、切換弁５５に制御電流を供給する。
【００７８】
これにより、切換弁５５は、ブーム操作レバー５０のレバー操作量に応じた制御圧を第一速ブーム方向制御弁１３Ｒの第一パイロットポートに導入させないように制御圧管路を遮断しながら第一パイロットポートに掛かるパイロット圧を解消させる第二状態となる。
【００７９】
また、ブーム４が負荷に逆らって動作していると判定するか、或いは、ブーム４が自重で降下してはいるがキャビテーション発生のおそれがあると判定すると（ステップＳ２のＮＯ）、メインコントローラ５４は、切換弁５５には制御電流を供給しないようにする。
【００８０】
これにより、切換弁５５は、ブーム操作レバー５０のレバー操作量に応じた制御圧を第一速ブーム方向制御弁１３Ｒの第一パイロットポートに導入させるように制御圧管路を開通させる第一状態となる。
【００８１】
以上の構成により、油圧制御回路１００は、ブーム４を自重で降下させる場合には第一速ブーム方向制御弁１３Ｒを経由しない再生管路を用い第一速ブーム方向制御弁１３Ｒを中立位置のままとすることにより油圧ポンプ１０Ｌ、１０Ｒの吐出量を低下させることとしながらも、第一速ブーム方向制御弁１３ＲのＰ−Ｃ開口に絞りを配置しない構成（従来よりも大きなＰ−Ｃ開口径を有する構成）を採ることで掘削時のように負荷に逆らってブーム４を動作させる場合にも（従来のブーム方向制御弁１３０におけるＰ−Ｃ開口で発生させていた）余分な圧力損失を発生させないようにし、更なる燃費の向上を実現させることができる。
【００８２】
また、油圧制御回路１００は、ブーム４を自重で降下させる場合には第一速ブーム方向制御弁１３Ｒを経由しない再生管路を用いることにより、例えばバケット６との複合操作の場合には、バケット６の操作を油圧ポンプ１０Ｒが吐出する圧油で行い、ブーム４の操作を再生管路の圧油で行うこととなるので、バケット６の操作の独立性を高めることができる。
【００８３】
次に、図８〜図１２を参照しながら、本発明に係る油圧制御回路の別の実施例について説明する。
【００８４】
図８〜図１２に示す油圧制御回路２００は、ブーム下げ用制御弁５６を第二速ブーム方向制御弁１３ＬＡ内に組み込んだ点で油圧制御回路１００と相違するが、他の点において共通する。
【００８５】
なお、図８は、油圧制御回路２００の全体図を示し、図９〜図１２は、図８からブーム４の操作に関連する構成要素を選択的に抽出した油圧制御回路２００の部分的な油圧回路図を示す。また、図９は、待機モードにおける状態を示し、図１０は、掘削のために負荷に逆らってブーム４を下げ方向に操作するときの状態を示し、図１１は、ブーム４を自重で降下させるときの状態を示し、図１２は、第一速ブーム方向制御弁１３Ｒ及び第二速ブーム方向制御弁１３ＬＡの双方を用いてブーム４を迅速に上昇させるときの状態を示す。
【００８６】
第二速ブーム方向制御弁１３ＬＡは、ブーム操作レバー５０が下げ方向に操作された場合にブームシリンダ７のボトムチャンバとそのロッドチャンバとを直接的に繋ぐ再生管路を開通させる下げ操作時位置と、ブーム操作レバー５０が操作されていない場合或いはブーム操作レバー５０が所定操作量未満で上げ方向に操作された場合にセンターバイパス管路３０Ｌを開通させながらその再生管路を遮断する中立位置と、ブーム操作レバー５０が所定操作量以上で上げ方向に操作された場合に油圧ポンプ１０Ｌの吐出する圧油をブームシリンダ７のボトムチャンバに合流させる上げ操作時位置とを切り替えるための３ポジション６ポートのスプール弁である。
【００８７】
図９において、メインコントローラ５４は、圧力センサＰ１、Ｐ２の出力に基づいてブーム操作レバー５０が操作されていないことを検出しており、切換弁５５に制御電流を供給していない。
【００８８】
そのため、切換弁５５は、ブーム操作レバー５０を下げ方向に操作した場合に発生する制御圧を第一速ブーム方向制御弁１３Ｒの第一パイロットポートに伝えられる第一状態にある。
【００８９】
また、第一速ブーム方向制御弁１３Ｒは、中立位置にあり、センターバイパス管路３０Ｒを通じて油圧ポンプ１０Ｒが吐出する圧油をネガティブコントロール絞り２０Ｒに到達させ油圧ポンプ１０Ｒの吐出量を低減させている。
【００９０】
同様に、第二速ブーム方向制御弁１３ＬＡは、中立位置にあり、センターバイパス管路３０Ｌを通じて油圧ポンプ１０Ｌが吐出する圧油をネガティブコントロール絞り２０Ｌに到達させ油圧ポンプ１０Ｌの吐出量を低減させている。
【００９１】
一方、図１０において、メインコントローラ５４は、圧力センサＰ２の出力に基づいてブーム操作レバー５０が下げ方向に操作されたことを検出し、且つ、圧力センサＰ３の出力に基づいてブームシリンダ７のボトムチャンバ内の圧力が所定値未満であることを検出すると、ブーム４が掘削のために負荷に逆らって下げ方向に動作しているものと判定し、ブーム操作レバー５０を下げ方向に操作した場合に発生する制御圧が第一速ブーム方向制御弁１３Ｒの第一パイロットポートに伝わるよう切換弁５５に制御電流を供給しないようにする。
【００９２】
また、第一速ブーム方向制御弁１３Ｒは、ブーム操作レバー５０を下げ方向に操作した場合に発生する制御圧を第一パイロットポートで受けて下げ操作時位置となり、パラレル管路３１Ｒを介して油圧ポンプ１０Ｒが吐出する圧油をブームシリンダ７のロッドチャンバに流入させ、且つ、ブームシリンダ７のボトムチャンバから流出する圧油を圧油タンク２２に排出させる。
【００９３】
なお、第二速ブーム方向制御弁１３ＬＡは、ブーム操作レバー５０を下げ方向に操作した場合に発生する制御圧をその第一パイロットポート（ブーム４を下降させる際に用いられるパイロットポートである。）で受けて再生管路を開通させる下げ操作時位置となるが、第一速ブーム方向制御弁１３Ｒが下げ操作時位置にあるため、ブームシリンダ７のロッドチャンバの圧力がそのボトムチャンバの圧力よりも高くなっており逆止弁によってその再生管路を遮断する。
【００９４】
また、ブームシリンダ７のボトムチャンバから流出する圧油の大部分は、絞りによる抵抗がない第一速ブーム方向制御弁１３ＲのＣ−Ｔ開口を経て圧油タンク２２に排出される。
【００９５】
これにより、油圧制御回路２００は、掘削のために負荷に逆らってブーム４を下げ方向に操作するときには、油圧ポンプ１０Ｒが吐出する圧油を何れの絞りを経ることもなくブームシリンダ７に流入させることができ、且つ、ブームシリンダ７から流出する圧油を何れの絞りを経ることもなく圧油タンク２２に排出させることができるので、不要な圧力損失を発生させることがない。
【００９６】
更に、図１１において、メインコントローラ５４は、圧力センサＰ２の出力に基づいてブーム操作レバー５０が下げ方向に操作されたことを検出し、且つ、圧力センサＰ３の出力に基づいてブームシリンダ７のボトムチャンバ内の圧力が所定値以上であることを検出すると、ブーム４が自重で下げ方向に動作しているものと判定し、ブーム操作レバー５０を下げ方向に操作した場合に発生する制御圧が第一速ブーム方向制御弁１３Ｒの第一パイロットポートに伝わらないよう切換弁５５に制御電流を供給する。
【００９７】
切換弁５５は、第一速ブーム方向制御弁１３Ｒの第一パイロットポートとコントロールポンプ５２との間の制御圧管路を遮断しながらその第一パイロットポートに掛かるパイロット圧を解消させる第二状態となり、その第一パイロットポートでパイロット圧を発生させている圧油があればその圧油を圧油タンク２２に排出する。
【００９８】
その結果、第一速ブーム方向制御弁１３Ｒは、第一パイロットポートにおける制御圧（ブーム操作レバー５０を下げ方向に操作した場合に発生する制御圧である。）が取り除かれることで中立位置となり、ブームシリンダ７との間の圧油のやり取りを遮断しながら、センターバイパス管路３０Ｒを通じて油圧ポンプ１０Ｒが吐出する圧油をネガティブコントロール絞り２０Ｒに到達させ油圧ポンプ１０Ｒの吐出量を低減させるようにする。
【００９９】
第二速ブーム方向制御弁１３ＬＡは、図１０の場合と同様、ブーム操作レバー５０を下げ方向に操作した場合に発生する制御圧を受けて再生管路を開通させる下げ操作時位置となり、ブームシリンダ７のボトムチャンバから流出する圧油をブームシリンダ７のロッドチャンバに再生させる。第一速ブーム方向制御弁１３Ｒが中立位置となり、ブームシリンダ７と第一速ブーム方向制御弁１３Ｒとの間の圧油のやり取りが遮断されるからである。
【０１００】
これにより、油圧制御回路２００は、ブーム４を自重で降下させるときには、油圧ポンプ１０Ｒの吐出量を低減させ、燃費を向上させることができる。
【０１０１】
なお、メインコントローラ５４は、ブーム４を自重で降下させる場合であっても、圧力センサＰ４の出力に基づいてブームシリンダ７におけるロッドチャンバ内の圧力が所定値未満であることを検出した場合にはキャビテーションが発生するおそれがあると判定し、切換弁５５への制御電流の供給を中止して、図１０に示す状態を現出させるようにする。ブームシリンダ７のロッドチャンバに十分な圧油を供給できるよう、油圧ポンプ１０Ｒが吐出する圧油をブームシリンダ７のロッドチャンバに流入させるためである。
【０１０２】
更に、図１２において、メインコントローラ５４は、圧力センサＰ１の出力に基づいてブーム操作レバー５０が上げ方向に操作されたことを検出すると、ブーム操作レバー５０が下げ方向に操作されていないと判定し、ブーム操作レバー５０の下げ方向のレバー操作量に応じた制御圧をいつでも第一速ブーム方向制御弁１３Ｒの第一パイロットポートに導入させることができるように切換弁５５に制御電流を供給しないようにする。
【０１０３】
そのため、切換弁５５は、ブーム操作レバー５０を下げ方向に操作した場合に発生する制御圧を第一速ブーム方向制御弁１３Ｒの第一パイロットポートに伝えられる第一状態にある。
【０１０４】
また、第一速ブーム方向制御弁１３Ｒは、ブーム操作レバー５０を上げ方向に操作した場合に発生する制御圧をその第二パイロットポート（ブーム４を上昇させる際に用いられるパイロットポートである。）で受けて上げ操作時位置となり、油圧ポンプ１０Ｒの吐出する圧油をブームシリンダ７のボトムチャンバに流入させる。
【０１０５】
同様に、第二速ブーム方向制御弁１３ＬＡは、ブーム操作レバー５０を所定操作量以上で上げ方向に操作した場合に発生する制御圧をその第二パイロットポートで受けて上げ操作時位置となり、油圧ポンプ１０Ｌの吐出する圧油をブームシリンダ７のボトムチャンバに合流させる。
【０１０６】
これにより、油圧制御回路２００は、ブーム操作レバー５０が所定操作量以上で上げ方向に操作されたときには、油圧ポンプ１０Ｌ及び１０Ｒの双方が吐出する圧油を用いてブーム４を迅速に上昇させることができる。
【０１０７】
このように、油圧制御回路２００は、油圧制御回路１００における有利な効果を全て実現しながらも、ブーム下げ用制御弁を第二速ブーム方向制御弁１３ＬＡに組み込むことで、油圧制御回路１００に比べて、よりシンプルで且つ省スペースな設計を可能にする。
【０１０８】
以上、本発明の好ましい実施例について詳説したが、本発明は、上述した実施例に制限されることはなく、本発明の範囲を逸脱することなしに上述した実施例に種々の変形及び置換を加えることができる。
【０１０９】
例えば、上述の実施例において、メインコントローラ５４は、各種圧力センサの出力に基づいて自重降下を含めたブーム４の動作内容を判定しそのブーム４の動作内容に応じて油圧制御回路内の圧油の流れを最適化するが、その代わりに或いはそれに加えて、各種圧力センサの出力に基づいてアーム５又はバケット６の動作内容を判定しそれらアーム５又はバケット６の動作内容に応じて油圧制御回路内の圧油の流れを最適化するようにしてもよい。
【符号の説明】
【０１１０】
１・・・油圧ショベル  ２・・・下部走行体  ３・・・上部旋回体  ４・・・ブーム  ５・・・アーム  ６・・・バケット  ７・・・ブームシリンダ  ８・・・アームシリンダ  ９・・・バケットシリンダ  １０L、１０R・・・油圧ポンプ  １１Ｌ・・・左走行モータ方向制御弁  １１Ｒ・・・走行直進弁  １２Ｌ・・・旋回モータ方向制御弁  １２Ｒ・・・右走行モータ方向制御弁  １３Ｌ、１３ＬＡ・・・第二速ブーム方向制御弁  １３Ｒ・・・第一速ブーム方向制御弁  １４・・・バケット方向制御弁  １５Ｌ・・・第一速アーム方向制御弁  １５Ｒ・・・第二速アーム方向制御弁  ２０Ｌ、２０Ｒ・・・ネガティブコントロール絞り  ２２・・・圧油タンク  ３０Ｌ、３０Ｒ・・・センターバイパス管路  ３１Ｌ、３１Ｒ・・・パラレル管路  ３２Ｌ、３２Ｒ・・・ネガティブコントロール圧管路  ４２Ｌ、４２Ｒ・・・走行用油圧モータ  ４４・・・旋回用油圧モータ  ５０・・・ブーム操作レバー  ５２・・・コントロールポンプ  ５４・・・メインコントローラ  ５５・・・切換弁  ５６・・・ブーム下げ用制御弁  １００、２００・・・油圧制御回路  Ｐ１〜Ｐ４・・・圧力センサ  ＴＨ１〜ＴＨ３・・・閾値
【図１】
2010242796.tif 000003
【図２】
2010242796.tif 000004
【図３】
2010242796.tif 000005
【図７】
2010242796.tif 000006
【図８】
2010242796.tif 000007
【図４】
2010242796.tif 000008
【図５】
2010242796.tif 000009
【図６】
2010242796.tif 000010
【図９】
2010242796.tif 000011
【図１０】
2010242796.tif 000012
【図１１】
2010242796.tif 000013
【図１２】
2010242796.tif 000014